(57)【要約】【課題】  本発明は、ティー上に固定されたゴルフボールをドライバーで打ち抜いた後に、ゴルフボールが元の位置に復帰することを可能とするドライバートレーニングマシンを提供することを目的とするものである。【解決手段】  本発明は、基板２上に前後方向に沿って架設されるスライド支承パイプ４に外挿されることで前後方向へスライド可能とされるスライド部５と、このスライド部５上にティー部７を介して固着される練習用ゴルフボール８と、前記スライド部５を元の位置に復帰させる復帰用弾性体１５から構成される。【選択図】        図１
2006325897.tif 000002
【特許請求の範囲】
【請求項１】
基板上に、前後方向へスライド可能とされるスライド部と、
前記スライド部上にティー部を介して固着される練習用ゴルフボールと、
前記練習用ゴルフボールの打撃の際に元の位置に復帰させる復帰用弾性体を備える
ことを特徴とするドライバートレーニングマシン。
【請求項２】
前記スライド部が基板の前後方向に沿って架設されるスライド支承パイプに外挿されることで前後方向へスライド可能とされる
ことを特徴とする請求項１記載のドライバートレーニングマシン。
【請求項３】
前記スライド支承パイプの少なくとも前後部の一方にスライド部の衝突力を吸収する緩衝体を配置する
ことを特徴とする請求項１または２記載のドライバートレーニングマシン。
【発明の詳細な説明】
【技術分野】
【０００１】
本発明は、ドライバートレーニングマシンに関する。詳しくはゴルフ練習場以外の場所においてゴルフボールを実際にドライバーで打球することができるドライバートレーニングマシンに係るものである。
【背景技術】
【０００２】
従来よりドライバーショットの練習として、一端が地面などに固定された紐の他端をゴルフボールに着け、ゴルフクラブのドライバーで打球練習するものが知られている。
【０００３】
この練習方法ではゴルフボールは紐によって飛ばずにすむが、打球する都度、ゴルフボールを拾い上げてティー上にセットしなければならず、これを繰り返すことは非常に煩雑となる問題がある。
【０００４】
そこで単にゴルフボールを繰返し打球することができるものとして例えば、図６に示すようなゴルフ練習具がある。このゴルフ練習具１０１は、打点部１０２にヘッド１０３が衝突すると、ピストン１０４が衝撃緩和シリンダ１０５内の圧縮空気が圧縮される。その結果、ヘッド１０６の運動エネルギーが緩和され、ヘッド１０６に対して作用する抵抗力が大きくなる。このとき、使用者はインパクト直後の打点部１０２の押し込み抵抗を、容易に両手で感じることができる。その後、ヘッド１０３は直線的に移動する打点部１０２から徐々に離れて振り抜ける構成とされる（特許文献１参照。）。
【０００５】
【特許文献１】特開２００４−３３５５９号公報（要約書、第１図）
【発明の開示】
【発明が解決しようとする課題】
【０００６】
前記ゴルフ練習具は、打点部がピストンロッドの先端部に固定され、シリンダ内部にインパクト時の衝撃力を緩和させる緩衝用流体が充填された衝撃緩和シリンダを備えるものである。したがってインパクト直後のクラブヘッドによる適度な打点部の押し込みが行われた後、ヘッドの円運動に合わせてコイルばねがその方向に湾曲し、円滑にヘッドを振り抜くことができるものである。
【０００７】
しかしながら打点部にヘッドが衝突する場合には、ピストンロッドとコイルばねとが一直線上となるようにクラブを操作しないと打点部の押し込みが行われる前にコイルばねが湾曲する恐れがある。
【０００８】
また、ドライバーショットの練習の基本はティーに載せたゴルフボールをより遠くに飛ばすように打ち抜くものであり、できるだけゴルフボールのみを打つ抜ける状態とすることが好ましく、それに対して前記ゴルフ練習具の場合では打撃部を水平方向へ押し込めるスイング、すなわちゴルフ練習具に合わせたスイングが身につき、実践でのゴルフスイングとズレが生じる恐れがある。
【０００９】
本発明は、以上の点に鑑みて創案されたものであって、ティー上に固定されたゴルフボールをドライバーで打ち抜いた後に、ゴルフボールが元の位置に復帰することを可能とするドライバートレーニングマシンを提供することを目的とするものである。
【課題を解決するための手段】
【００１０】
上記の目的を達成するために、本発明に係るドライバートレーニングマシンは、基板上に、前後方向へスライド可能とされるスライド部と、前記スライド部上にティー部を介して固着される練習用ゴルフボールと、前記練習用ゴルフボールの打撃の際に元の位置に復帰させる復帰用弾性体を備える。
【００１１】
ここで、ドライバーによるゴルフクラブのスイングを練習する場合に、スライド部上にティー部を介して固着される練習用ゴルフボールを打撃することによってスライド部は前方へスライドすると同時に、コイルバネなどから形成される復帰用弾性体によって元の位置に戻されることで練習者は動くことなく定位置で練習を繰り返すことが可能となる。
【００１２】
また、前記スライド部が基板の前後方向に沿って架設されるスライド支承パイプに外挿されることで前後方向へスライド可能とし、かつ前記スライド支承パイプの少なくとも前後部の一方にスライド部の衝突力を吸収する圧縮バネなどから形成される緩衝体を配置することにより、スライド部に生じる衝撃力を吸収し、破損を防ぐことを可能とするものである。
【発明の効果】
【００１３】
以上述べてきたように本発明のドライバートレーニングマシンでは、ゴルフボールを打ち抜いた場合に、ボールは前方にスライドするがバネの弾性力によって元の位置に復帰することでドライバーを持った状態で繰返し練習を行うことができる。
【００１４】
また、ゴルフボールのスライド基盤の前後部に、緩衝ばねを配置することにより、ゴルフボールがスライドして前、後部への衝突による衝撃を緩和し、ドライバートレーニングマシンの破損を防止する効果を奏する。
【００１５】
また、本発明のドライバートレーニングマシンは庭や公園などドライバーをスイングする空間あれば携帯して練習することができる。
【発明を実施するための最良の形態】
【００１６】
以下、本発明の実施の形態を図面を参酌しながら説明し、本発明の理解に供する。
図１は、本発明を適用したドライバートレーニングマシンの一例を示す平面図、図２は、図１における内部機構を示す底面説明図、図３は、図１における内部機構を示す側面説明図である。
【００１７】
ここで示すマシン本体１は、耐強性を有する所定長さとした基板２の前後端に支持側板３、３が立設固定される。そしてこれらの支持側板３、３間に、一定間隔を設けてスライド支承パイプ４、４が渡設される。
【００１８】
次に、前記スライド支承パイプ４、４と間に、このスライド支承パイプ４の長手方向に沿ってスライド自在とするスライド部５を設ける。
【００１９】
ここで、前記スライド部５は図４に示すように、その両側端にスライド支承パイプ４に外挿されるスライド用ソケット部６が設けられる、さらにスライド板部５の中央にはティー部７が立設され、このティー部７の上端に練習用ゴルフボール８が固着される。
【００２０】
これによりスライド部５に設けられるティー部７の上端の練習用ゴルフボール８はスライド支承パイプ４の前後方向へスライド自在な機構となる。また、スライド部５に対して直角状に安定板部９が下方に折曲形成される。
【００２１】
前記安定板部９の左右部分には、ワイヤー挿通穴１０が穿孔され、このワイヤー挿通穴１０に挿通されるワイヤー１１の両端は、前記基板２の前後端に支持側板３、３にそれぞれ連結される。このワイヤー１１を設けることによって練習用ゴルフボール８がドライバーのクラブによって打撃されたときにスライド部５が浮き上がろうとする力を抑制することでスライド部５にかかる負荷を軽減させることが可能となる。
【００２２】
次に、前記スライド支承パイプ４の前部にはスライド板部５のスライド用ソケット部６を受け止めるためのソケット１２が装着される圧縮バネより形成される緩衝体１３が外挿される。また、前記スライド支承パイプ４の後部には、前記基板２の後端の支持側板３より前方方向へ一定間隔を設けて緩衝用コイルバネ固定板１４が基板２上に立設される。
【００２３】
そして前記緩衝用コイルバネ固定板１４に、その基端が係止される緩衝体１３Ａがスライド支承パイプ４に外挿される。したがって前記スライド支承パイプ４の前後部に外挿される緩衝体１３および緩衝体１３Ａによってドライバーショットの練習の際に、スライド部５が前方向へスライドして前記基板２の前端の支持側板３への衝突時における衝撃を緩和し、かつその反動によってスライド部５が後方にスライドして前記緩衝用コイルバネ固定板１４への衝突時における衝撃を緩和する。
【００２４】
ここで、前記スライド部５の安定板部９と基板２の後端の支持側板３との間にコイルバネより形成される復帰用弾性体１５が連結される。この緩衝体１３の付勢力によってスライド部５は緩衝体１３のソケット１２に押圧した状態で係留する。
【００２５】
そして前記基板２上には、前記スライド部５に立設されるティー部７の前後移動方向に沿って開口部１６が開設されるケース部１７を締結ネジ１８によって取り付けることによってスライド支承パイプ４やスライド部５などを覆う構成とする。
また、基板はドライバーによる打撃の際に安定感があり、さらに損壊しないように厚みのある鋼板などによって強耐性、かつ重量性を有するものにより形成することが望ましい。
【００２６】
なお、緩衝体および復帰用弾性体は必ずしもコイルバネ体である必要性はなく、弾性ゴム体を使用するものであっても構わない。
また、復帰用弾性体は適宜手段によって引張力の調整が自在に行える機構とすることにより練習者のインパクト力に応じての練習が可能となる。
【００２７】
また、ティー部は硬質ゴムなどによって形成することでドライバーのインパクト時における打撃によって破損するのを防止できる構成とすることが望ましい。さらにティー部とスライド板部との取り付け、あるいはティー部と練習用ゴルフボールとの取り付けは、ティー部または練習用ゴルフボールの損耗が激しいためにネジなどによって取替え自在な構成とすることが望ましい。
【００２８】
以上の構成よりなる本発明のドライバートレーニングマシンでは、図５（イ）（ロ）（ハ）に示すように、スイングしたドライバーＡのヘッドＢがティー部７上端に固着される練習用ゴルフボール８に衝突すると、ティー部７に固着されるスライド部５が復帰用弾性体１５の付勢力に抗しながらスライド支承パイプ４の前部側へスライドする。
【００２９】
そして図５（ロ）で示すように、スライド部５がスライド支承パイプ４の前部に設けられる緩衝体１３に衝突した場合には、緩衝体１３の弾性力によって衝撃力が吸収される。
【００３０】
ここで、図５（ハ）で示すように、衝撃力が吸収されたスライド部５は緩衝体１３が伸びることにより生じる付勢力によってスライド支承パイプ４の後部側へ引き戻され、緩衝体１３Ａに衝突することにより衝撃力が吸収される。
【００３１】
このようにしてドライバーによるゴルフボールの練習打ちが従来のようにスイングするごとにゴルフボールをティー上にセットすることなく、ゴルフ練習場と同じように繰返し練習することが可能となる。
【００３２】
また、復帰用弾性体１５はスライド部５が元の位置に復帰する付勢力があればよく、スライド部５に過度な抵抗力が作用しないために、実戦に近い状態での練習が可能となる。
【図面の簡単な説明】
【００３３】
【図１】本発明を適用したドライバートレーニングマシンの一例を示す平面図である。
【図２】図１における内部機構を示す底面説明図である。
【図３】図１における内部機構を示す側面説明図である。
【図４】本発明を適用したドライバートレーニングマシンのスライド板部の取り付け状態を示す説明図である。
【図５】本発明を適用したドライバートレーニングマシンの作用状態を示す説明図である。
【図６】従来のゴルフ練習具の一例を示す説明図である。
【符号の説明】
【００３４】
１      マシン本体
２      基板
３      支持側板
４      スライド支承パイプ
５      スライド部
６      スライド用ソケット部
７      ティー部
８      練習用ゴルフボール
９      安定板部
１０    ワイヤー挿通穴
１１    ワイヤー
１２    ソケット
１３    緩衝体
１４    固定板
１５    復帰用弾性体
１６    開口部
１７    ケース部
１８    締結ネジ
【図１】
2006325897.tif 000003
【図２】
2006325897.tif 000004
【図３】
2006325897.tif 000005
【図４】
2006325897.tif 000006
【図５】
2006325897.tif 000007
【図６】
2006325897.tif 000008